(57)【要約】      （修正有）【課題】水栓スプレイヘッド用の自動待避機構の提供。【解決手段】ドッキング組立体２００は、スプレイヘッド１２に結合されたアダプタ１００がドッキング組立体に係合するときに、スプレイヘッドを水栓本体１４に自動的にドッキングするスプリング負荷機構を含んでいる。【選択図】図１
2020112023.tif 000002
【特許請求の範囲】
【請求項１】
水栓本体に取付可能なドッキング組立体であって、
シェルと、
前記シェル内で少なくとも部分的に摺動可能に収容された把持部材であって、把持具本体および前記把持具本体から延びる把持具リングを含む把持部材と、
前記シェル内で固定され、前記把持部材の少なくとも一部の周りに同心状に配置されたタレットであって、面取りされた内壁を有する第１端部を有するタレットと、
前記把持具リングと、前記第１端部の反対の前記タレットの第２端部との間に配置されたキャプティブスプリングであって、前記把持部材を伸ばされた位置からドッキング位置に動かす原動力を提供するように構成されたキャプティブスプリングと、
を備えることを特徴とするドッキング組立体。
【請求項２】
前記タレットと前記シェルの間に旋回可能に配置された複数のラッチ型ジョーをさらに含むことを特徴とする請求項１に記載のドッキング組立体。
【請求項３】
前記複数のラッチ型ジョーの各々のラッチ型ジョーが、前記第２端部に形成されたラッチ型部材であって、前記ドッキング組立体が前記伸ばされた位置にあるときに前記把持具リング上に掛けるように構成されたラッチ型部材を含むことを特徴とする請求項２に記載のドッキング組立体。
【請求項４】
前記複数のラッチ型ジョーの各々のラッチ型ジョーが、前記ドッキング組立体が前記伸ばされた位置から前記ドッキング位置に動かされるときに前記把持具リングから外すように旋回可能であることを特徴とする請求項３に記載のドッキング組立体。
【請求項５】
前記複数のラッチ型ジョーの各々のラッチ型ジョーがアダプタ係合部材をさらに含み、アダプタと前記アダプタ係合部材の間の相互作用が前記複数のラッチ型ジョーを旋回するように、前記アダプタ係合部材が、前記アダプタ係合部材と前記シェルの間のアダプタを受容するための丸くされた縁、または面取りされた縁の１つを含むことを特徴とする請求項４に記載のドッキング組立体。
【請求項６】
前記複数のラッチ型ジョーの各々のラッチ型ジョーの前記アダプタ係合部材に形成された穴内に保持された圧縮リングをさらに含み、前記圧縮リングが各々のアダプタ係合部材に径方向外向きの力を提供するように構成されていることを特徴とする請求項５に記載のドッキング組立体。
【請求項７】
前記タレットが外周の凹部をさらに含むことを特徴とする請求項２に記載のドッキング組立体。
【請求項８】
前記複数のラッチ型ジョーの各々のラッチ型ジョーが、前記外周の凹部に少なくとも部分的に配置されたピボットをさらに含み、前記ピボットが前記ラッチ型ジョーのための旋回点を提供することを特徴とする請求項７に記載のドッキング組立体。
【請求項９】
前記ピボットと前記シェルの間に同心状に配置されたキャプティブリングをさらに含むことを特徴とする請求項８に記載のドッキング組立体。 
【請求項１０】
第１の複数の空間によって分離された第１の複数の凸部と、
第２の複数の空間によって分離された第２の複数の凸部と、をさらに含み、前記外周の凹部が、前記第１の複数の凸部と前記第２の複数の凸部の間に配置され、前記複数のラッチ型ジョーの各々のラッチ型ジョーが、前記第１の複数の空間の１つの空間および前記第２の複数の空間の１つの空間に配置されることを特徴とする請求項７に記載のドッキング組立体。
【請求項１１】
前記把持部材が、前記把持具本体から延びている複数のフランジ付指を含み、前記複数のフランジ付指の各々のフランジ付指が径方向内方に少なくとも部分的に向くフランジを含み、前記複数のフランジ付指が無外部負荷下において前記把持具本体の外側寸法を超えて少なくとも部分的に延びていることを特徴とする請求項１に記載のドッキング組立体。
【請求項１２】
前記複数のフランジ付指は、前記ドッキング組立体が前記伸ばされた位置からドッキング位置に動かされると、前記面取りされた内壁をスライド移動し、前記面取りされた内壁は、前記把持部材が前記ドッキング位置の方へ動かされると、前記複数のフランジ付指に増加する負荷を提供することを特徴とする請求項１１に記載のドッキング組立体。
【請求項１３】
前記シェルは、
前記水栓本体内に保持されるように構成された段差部と、
前記把持具本体を摺動可能に受容するための前記段差部の端部に配置された開口部付き端部と、を含み、前記開口部付き端部は前記把持具リングのためのストップを形成することを特徴とする請求項１に記載のドッキング組立体。
【請求項１４】
水栓スプレイヘッド用の自動退避機構であって、
請求項１に記載のドッキング組立体と、
前記水栓スプレイヘッドに結合するように構成されたアダプタと、
を含むことを特徴とする自動退避機構。
【請求項１５】
前記アダプタが、
内部導管を規定する本体と、
前記本体の少なくとも一部から伸び、かつ前記本体の少なくとも一部の周りに同心状に配置されたドッキング組立体係合部材と、
前記本体から径方向に離れるように伸びるラッチ型リブと、
を含むことを特徴する請求項１４に記載の自動退避機構。
【請求項１６】
前記ドッキング組立体係合部材が前記シェルに摺動可能に受容可能であることを特徴とする請求項１５に記載の自動退避機構。
【請求項１７】
前記本体が前記把持部材に摺動可能に受容可能であるホース継手を含むことを特徴とする請求項１５に記載の自動退避機構。
【請求項１８】
前記把持部材は、前記アダプタを引いて前記ドッキング組立体と係合させる、前記自動退避機構が前記伸ばされた位置から前記ドッキング位置に動かされたとき、前記ラッチ型リブを把持することを特徴とする請求項１５に記載の自動退避機構。
【請求項１９】
前記ラッチ型リブに隣接する外周の凹部に配置されたラッチ型Ｏリングをさらに含むことを特徴とする請求項１８に記載の自動退避機構。
【請求項２０】
前記本体が前記水栓スプレイヘッドに脱離可能に結合可能なスプレイヘッド継手部材をさらに含むことを特徴とする請求項１８に記載の自動退避機構。
【請求項２１】
水栓であって、
水栓本体と、
水源に接続可能であり、前記水栓本体内に配置され、前記水栓本体を通って移動可能なホースと、
請求項１４に記載の自動退避機構と、を含み、前記ホースが前記アダプタに流体結合されていることを特徴とする水栓。
【請求項２２】
自動退避水栓スプレイヘッドであって、
内部導管と複数のノズルを含むスプレイヘッドと、
前記スプレイヘッドに結合されたアダプタと、を含み、
前記アダプタが
前記スプレイヘッドの前記内部導管に流体結合される内部導管を規定する本体と、
前記本体の少なくとも一部から延び、かつ前記本体の少なくとも一部の周りに同心状に配置されたドッキング組立体係合部材と、
前記本体から径方向に離れるように延びるラッチ型リブと、
を含むことを特徴とする自動退避水栓スプレイヘッド。
【請求項２３】
前記アダプタが、ねじ付結合により前記スプレイヘッドに解放可能に結合されていることを特徴とする請求項２２に記載の自動退避水栓スプレイヘッド。
【請求項２４】
前記本体が水栓ホースに流体結合可能なホース継手を含むことを特徴とする請求項２２に記載の自動退避水栓スプレイヘッド。
【請求項２５】
前記ラッチ型リブに隣接する外周の凹部に配置されたラッチ型Ｏリングをさらに含むことを特徴とする請求項２２に記載の自動退避水栓スプレイヘッド。
【発明の詳細な説明】
【技術分野】
【０００１】
［関連出願の相互参照］
本願は、２０１４年９月２３に出願された”水栓スプレイヘッド用の自動退避機構”と題する米国仮特許出願第６２／０５４，１４１号の利点を請求する。この開示内容は参照によって本願にその全体が組み込まれるものとする。
【０００２】
［技術分野］
本発明は、一般に、水栓用の自動退避スプレイヘッドに関する。
【背景技術】
【０００３】
多くの市販の水栓は、蛇口の下に配置されたアイテムを洗浄するプロセスを楽にすることを助け得る、引き出されるスプレイヘッドをすでに装備している。引き出されるスプレイヘッドを有する代表的な水栓は、カウンタウエイトを使用してホース引込を助ける。そのような構造を有するスプレイヘッドは、ホースの摩擦および／またはスプレイヘッドと噴出口チューブの間の整列の問題のため、それらのドッキング位置に完全に引っ込まないかもしれない。ディテントまたは磁石がスプレイヘッドを水栓本体にドッキングすることを助けるために採用され得るが、そのような機構は最適でないかもしれない。
【発明の概要】
【０００４】
概して、先行技術の構造の不利益を回避する水栓スプレイヘッド用の自動退避機構を提供することが本発明の目的である。
【０００５】
本発明の実施形態に従い、自動退避水栓スプレイヘッドは、水栓のドッキング組立体から引き離され得るスプレイヘッドと結合されるアダプタを含んでいる。アダプタが引き込みの間にドッキング組立体の係合領域に達するとき、アダプタは把持機構の中に入り、および、キャプティブスプリングは作動し、水栓の中に把持機構を引くように補助力を提供する。把持機構が水栓の中に引っ込められるとき、径方向に閉じることが始まり、アダプタを捕らえ、および水栓を有する係合の中にそれを引く。
【０００６】
発明の自動退避機構は、チューブに追加加工を要求することなく、水栓の噴出口チューブに容易に設置され得るモジュールとして提供され得、および、アダプタは、スプレイヘッドにねじ込まれ、または別の方法で固定され得ることが理解されよう。
【０００７】
いくつかの実施形態において、水栓本体に付属するように構成されたドッキング組立体が提供される。ドッキング組立体は、シェル、およびシェル内で少なくとも部分的に摺動可能に収容されている把持部材を含み得る。把持部材は、把持具本体、および把持具本体から延びる把持具リングを含み得る。ドッキング組立体は、シェル内に固定され、かつ把持部材の少なくとも一部の周りに同心状に配置されたタレットをさらに含み得る。タレットは、スプレイヘッドアダプタのドッキング組立体係合部材と相互作用するための面取りされた内壁を有する第１端部を含み得る。ドッキング組立体は、また、把持具リングとタレットの第２端部の間に配置されたキャプティブスプリングを含み得る。キャプティブスプリングは、把持部材を伸ばされた位置からドッキング位置に滑らせる原動力を備え得る。
【０００８】
いくつかの実施形態において、ドッキング組立体は、また、タレットとシェルの間に旋回可能に配置されたラッチ型ジョーを含み得る。ラッチ型ジョーは、ドッキング組立体が伸ばされた位置にあるとき、把持具リング上に掛け得、およびドッキング組立体が伸ばされた位置からドッキング位置に動かされたとき、把持リングから外すように旋回し得る。各々のラッチ型ジョーは、アダプタ係合部材とシェルの間のアダプタのドッキング組立体係合部材を受容するためにアダプタ係合部材を付加的に含み得る。ドッキング組立体係合部材とアダプタ係合部材の間の相互作用は、ラッチ型ジョーを旋回し、キャプティブスプリングが把持具リングに当接できる把持具リングからそれらを離し、それによって、ドッキング組立体をドッキング位置に移動する。いくつかの実施形態において、圧縮リングはアダプタ係合部材に形成された穴内に保持され得、アダプタ係合部材に径方向外向きの力を提供する。アダプタ係合部材は、ドッキング組立体係合部材がアダプタ係合部材と相互作用し、かつ圧縮リングによって提供される径方向外向きの力に打ち勝つまで、伸ばされた位置にドッキング組立体を保持するように働き得る。
【０００９】
いくつかの実施形態において、タレットは、ラッチ型ジョーのピボットのため旋回点として働く外周の凹部を含み得る。キャプティブリングは、ラッチ型ジョーのピボットとシェルの間に同心状に配置され得、タレットに対してラッチ型ジョーを保持する。タレットは、また、外周の凹部の両側上のタレットの周りに円周状
に延びる、一連の凸部および空間を含み得る。ラッチ型ジョーは空間に存在するように配置され得、潜在的な横方向運動または回転運動を防止する。
【００１０】
いくつかの実施形態において、把持部材は、把持具本体から離れるように延びるフランジ付指を含み得、および少なくとも部分的に径方向内方に向けられるフランジを含み得る。フランジ付指が無負荷下であるとき、フランジ付指は把持具本体の外形寸法を超えて少なくとも部分的に延び得る。フランジ付指は、ドッキング組立体が伸ばされた位置からドッキング位置に動かされたとき、タレットの面取りされた内壁に沿って滑り得る。把持部材が滑るように、面取りされた内壁はフランジ付指に増加した負荷を提供し、それによってフランジ指に径方向内向きの力を提供する。
【００１１】
いくつかの実施形態において、シェルは水栓本体内に保持されるように構成された段差部を含み得る。段差部の開口部付き端部は、把持部材の部分を摺動可能に受容し、かつ定義されたポイントを過ぎて把持部材の動作を防止するように把持具リング用のストップを形成するように提供され得る。
【００１２】
いくつかの実施形態において、水栓スプレイヘッド用の自動退避機構は、本発明の種々の実施形態に従うドッキング組立体、および水栓スプレイヘッドに結合するように構成されたアダプタを含むことを提供され得る。アダプタは、ホースから水栓スプレイヘッドへ水を運ぶための内部導管を規定する本体、本体の少なくとも一部から伸び、かつ本体の少なくとも一部の周りに同心状に配置されたドッキング組立体係合部材、および本体から径方向に離れるように伸びるラッチ型リブを含み得る。ドッキング組立体係合部材は、ラッチ型ジョーとシェルの間に摺動可能に受容され得る。ドッキング組立体係合部材とラッチ型ジョーの相互作用は、自動退避機構を始めるためにラッチ型ジョーが旋回し得る。ラッチ型ジョーは、把持具リングから外し、かつキャプティブスプリングは、把持具リングに対して当接する。
【００１３】
いくつかの実施形態において、把持部材は、アダプタを引いてドッキング組立体と係合させる、自動退避機構が伸ばされた位置からドッキング位置に動かされたとき、ラッチ型リブを把持する。ラッチ型リブに隣接する外周の凹部に配置されたラッチ型Ｏリングは、また、把持部材とラッチ型リブの間の摩擦を増加させるように提供され得る。
【００１４】
いくつかの実施形態において、アダプタ本体は、水栓ホースと結合するために把持部材に摺動可能な受容可能であるホース継手、および水栓スプレイヘッドに脱離可能に結合可能なスプレイヘッド継手部材を含み得る。
【００１５】
さらに他の物および本発明の利点は、一部、明らかであろうし、および、一部、明細書から明らかになるだろう。
【００１６】
したがって、本発明は、本明細書に記載された構造で例示されるような全て、構造の特徴、要素の組合、およびパーツの配置を含み、および発明の範囲は、請求項に示されることになる。
【図面の簡単な説明】
【００１７】
発明の実施形態のより十分な理解のために、添付図面と合わせて用いられる以下の記載が参照される。
【図１】図１は本発明のいくつかの実施形態に従う、自動退避スプレイヘッドを有する水栓の側面図を示す。
【図２】図２は本発明のいくつかの実施形態に従う、図１に示された自動退避スプレイヘッドの自動退避機構のアダプタおよびドッキング組立体の分解図を示す。
【図３】図３は本発明のいくつかの実施形態に従う、図１のアダプタおよびドッキング組立体の断面図を示す。
【図４】図４および５は本発明のいくつかの実施形態に従う、ドッキング組立体とドッキングするアダプタの断面図を示す。
【図５】図４および５は本発明のいくつかの実施形態に従う、ドッキング組立体とドッキングするアダプタの断面図を示す。
【図６】図６および７は本発明のいくつかの実施形態に従う、ドッキング組立体から離れるアダプタの断面図を示す。
【図７】図６および７は本発明のいくつかの実施形態に従う、ドッキング組立体から離れるアダプタの断面図を示す。
【図８】図８は本発明の実施形態に従い、本発明のいくつかの実施形態に従う、ドッキング組立体とドッキングされたスプレイヘッドおよびアダプタを有する水栓の部分断面図を示す。
【図９】図９は本発明の実施形態に従う、別のアダプタおよびドッキング組立体の断面図を示す。
【発明を実施するための形態】
【００１８】
ここで、図面を参照すると、図１は、本発明の実施形態に従う、アダプタ１００およびドッキング組立体２００を有する、水栓本体１４、ホース１６、および自動退避スプレイヘッド１２を有する水栓の側面図を示している。伸ばされた位置で示される自動退避スプレイヘッド１２は、ドッキング組立体２００と水栓本体１４を取外可能に結合され得る。ドッキング組立体２００は、以降に詳細を記載されるように、水栓本体１４にアダプタ１００（およびそれによってスプレイヘッド１２）を自動的にドッキングすることを助け得る。操作の間、水は、スプレイヘッドが、水栓本体１４に対して、伸ばされた位置にあるか、またはドッキングされた位置にあるかにかかわらず、ホース１６、アダプタ１００の内部導管、および自動退避スプレイヘッド１２の蛇口の外を通り流れ得る。
【００１９】
図２は本発明のいくつかの実施形態に従う、アダプタ１００およびドッキング組立体２００の分解図を示し、および図３は本発明のいくつかの実施形態に従う、アダプタ１００およびドッキング組立体２００の断面図を示す。アダプタ１００は、ホース（例えば、図１のホース１６）から水を導くための内部導管１０２を自動退避スプレイヘッド（例えば、図１の自動退避スプレイヘッド１２）に含み得る。特に、自動退避スプレイヘッドは、スプレイヘッド継手１０４に結合され得、およびホースは、ホース継手１１０に結合され得る。それらの継手の各々は、固定された継手であり得（例えば、スプレイヘッドおよび／またはホースがアダプタ１００と一体的に形成され得、またはアダプタ１００に恒久的に取り付けられ得る）、または移動可能な継手であり得る（例えば、スプレイヘッドおよび／またはホースがねじ付継手、１以上の留め金具またはクリップ、またはプレスフィット継手等を使用してアダプタ１００に結合され得る）。図２に示されるように、自動退避スプレイヘッドは、スプレイヘッド継手１０４と結合され得（例えば、螺合される、または１以上の留め金具またはクリップと結合される）、およびホースは、ホース継手１１０と結合され得る（例えば、ホースクランプの補助部と摩擦係合される）。
【００２０】
アダプタ１００は、自動のドッキングプロセスを始めるようにドッキング組立体２００と相互作用するように構成され得る、ドッキング組立体係合部材１０６をさらに含み得る。ドッキング組立体係合部材１０６は、スプレイヘッド継手１０４に最も近いアダプタ１００の一部から径方向外方に延びている閉鎖端部、およびホース継手１１０に最も近く、かつその間の空洞を規定する開口端部を有する中空部材であり得る。図２に示されるように、ドッキング組立体係合部材１０６は、円筒状に形状化され得るが、ドッキング組立体係合部材１０６（およびドッキング組立体２００の補足部材）は、適当な如何なる断面形状を有し得ることは理解されるべきでる。
【００２１】
ラッチ型リブ１０８は、ドッキング組立体係合部材１０６の閉鎖端部とホース継手１１０の間に提供され得る。ラッチ型リブ１０８は、アダプタ１００から係方向外方に延び得、自動のドッキングプロセスの間にドッキング組立体２００の１以上の要素によって捕らえられ、かつ保持され得る、凸部の特徴を提供する。ラッチ型Ｏリング１１２は、ラッチ型リブとドッキング組立体係合部材１０６の閉鎖端部の間のラッチ型リブ１０８に最も近い放射状の凹部に配置され得、アダプタ１００と、ドッキング組立体２００の捕えられ、かつ保持する要素との間の継手を高める。
【００２２】
自動のドッキングプロセスは、ドッキング組立体２００の方で、かつ、それの係合領域の中に、アダプタ１００を伸ばされた位置から移動することによって開始され得る。ドッキング組立体２００は、シェル２０２、把持具２０４、圧縮スプリング２０６、タレット２０８、キャプティブリング２１０、ラッチ型ジョー２１２および圧縮リング２１４を含み得る。
【００２３】
シェル２０２は、開口端部であり、ドッキング組立体２００の種々の他の要素を収容するように構成された筒状部材であり得、および、種々の実施形態に従い得、水栓本体（例えば、図１の水栓本体１４）と一体形成され得るか、または水栓本体にしっかりと、または取外可能に結合され得るモジュール（図２に示されるように）として提供され得る。シェル２０２の内部寸法は、ほとんど役割を有さない第１開口端部によってドッキング組立体係合部材１０６をシェル２０２が受容し得るように、ドッキング組立体係合部材１０６の外部寸法と相補的で、かつ少し大きくあり得る。シェル２０２の第２開口端部は、把持具２０４を受容し、かつ摺動可能に案内するような大きさであり得る。シェル２０２が水栓本体と別体とし、かつ水栓本体に結合される実施形態において、シェル２０２は、第２端部に形成される段差部２０２ａを含み得る。段差部２０２ａは、水栓本体の開口端部の内側に受容され得、および、プレスフィット、ねじ付継手、接着剤等を使用して、そこに結合され得る。
【００２４】
シェル２０２内に少なくとも部分的に収容された把持具２０４は、スプレイヘッドがそのドッキング位置とその伸ばされた位置の間で動かされるように、ホースおよびアダプタの少なくとも一部が自由に動作し得る、その長さに沿って長軸方向に動作する内部導管を規定し得る。シェル２０２の第１端部の最も近くに配置された第１端部で、把持具２０４は、把持具本体２０４ｂから延びるフランジ付指２０４ａを含み得、把持具本体２０４ｂは、径方向内向きの負荷下にあるとき、ラッチ型リブ１０８とラッチ型Ｏリング１１２の周りのアダプタ１００を把持するように構成され得る。したがって、フランジ付指２０４ａのフランジは、径方向内向きに少なくとも部分的に延び得、把持具２０４内にラッチ型リブ１０８を保持する。フランジ指２０４ａの断面積が把持具本体２０４ｂおよびラッチ型リブ１０８の断面積を超え得、それによってフランジ付指２０４ａがドッキング組立体２００からアダプタ１００を離すことができるように、無負荷下において、フランジ付指２０４ａは、把持具本体２０４ｂの外側寸法を超えて径方向に延び得る。
【００２５】
把持具リング２０４ｃは、フランジ付指２０４ａと把持具２０４の第２端部の間の把持具本体２０４ｂに沿った位置に、把持具本体２０４ｂから径方向外方に突き出得る。把持具リング２０４ｃは、圧縮スプリング２０６を捕えるように提供され得、圧縮スプリング２０６は、ドッキング組立体２００に対する自動のドッキングアダプタ１００のための原動力を提供し得る。特に、圧縮スプリング２０６は、把持具リング２０４ｃとタレット２０８の間に捕えられ得、把持具リング２０４ｃとタレット２０８は、シェル２０２の内壁と把持具２０４の外壁の間の空間に配置され得る。把持具リング２０４ｃは、圧縮スプリング２０６を捕える壁から把持リング２０４ｃの第２表面（例えば、壁に実質的に垂直に配置された頂面、または面取りされた縁が頂面の全体を形成するような壁に実質的に平行に配置された第２壁に実質的に垂直に配置された頂面）に延びる面取りされた縁を含み得る。
【００２６】
シェル２０２の第１端部および把持具２０４の第１端部の最も近くに配置されたタレット２０８の第１端部は、面取りされた内壁２０８ａ（例えば、図３参照）を提供し得る。面取りされた内壁２０８ａは、アダプタ１００がドッキング組立体２００に対して動かされるように、把持具２０４のフランジ付指２０４ａに種々の程度の内部で径方向に向く負荷を提供し得る。特に、アダプタ１００がドッキング組立体２００の方に動くように、把持具２０４は、面取りされた内壁２０８ａに対して滑り得る。面取りされた内壁２０８ａは、フランジ付指２０４ａに対してだんだん大きくなる径方向内向きの力を提供し得、フランジがラッチ型リブ１０８の周りを締め付け、それによってドッキング組立体２００内にアダプタ１００を保持する。同様に、アダプタ１００がドッキング組立体２００から離れるように動くように（例えば、水栓のユーザが水栓本体から離れるようにスプレイヘッドを引くことによって）、把持具２０４は、面取りされた内壁２０８ａに対して滑り得る。面取りされた内壁２０８ａは、フランジ付指２０４ａに対して径方向内向きの力を減少され得、指がそれらの無負荷位置にスプリングバックし、ラッチ型リブ１０８を解放し、かつドッキング組立体２００からアダプタ１００を取り外す。
【００２７】
タレット２０８は、多数の第１凸部２０８ｂおよびその本体から径方向内方に延びる多数の第２凸部２０８ｃをさらに提供し得る。第１凸部２０８ｂおよび第２凸部２０８ｃは、外周の凹部２０８ｄによって分離され得、外周の凹部２０８ｄは、キャプティブリング２１０をそれらの間に保持し得る。凸部２０８ｂおよび凸部２０８ｃの各々の凸部は、空間によって、その隣接した凸部から分離され得る。第１凸部２０８ｂの間の空間は、第２凸部２０８ｃの間の空間と一致し得る。
【００２８】
ラッチ型ジョー２１２として、図２に示される多数のレバーは、第１凸部２０８ｂと第２凸部２０８ｃの間の空間に係合され得、各々のラッチ型ジョーは、２つの第１凸部２０８ｂと、２つの第２凸部２０８ｃとの間に存在する。ラッチ型ジョー２１２は、シェル２０２の第１端部、把持具２０４、およびタレット２０８の最も近くに配置された第１端部に形成されたアダプタ係合部材２１２ａ、シェル２０２の第２端部、把持具２０４、およびタレット２０８の最も近くに配置された第２端部に形成されたラッチ型部材２１２ｂ、およびアダプタ係合部材２１２ａとラッチ型部材２１２ｂの間の中心に配置されたピボット２１２ｃを各々含み得る。
【００２９】
ピボット２１２ｃは、外周の凹部２０８ｄに係合され得、ラッチ型ジョー２１２のための支点として作用する。ラッチ型ジョー２１２は、径方向の力によって作用されたとき、ピボット２１２ｃの周りを回転する。したがって、ピボット２１２ｃは、ラッチ型ジョー２１２のアームをタレット２０８の外面の上に上昇させる。
【００３０】
アダプタ係合部材２１２ａは、アダプタ１００のドッキング組立体係合部材１０６と相互作用するために丸くされ、または面取りされ得る。アダプタ１００がドッキング組立体２００の方に動くとき、ドッキング組立体係合部材１０６の先端は、アダプタ係合部材の丸くされ、または面取りされた形状の効力によって開いている、アダプタ係合部材２１２ａとシェル２０２の間の空間に入り得る。アダプタ１００がドッキング組立体２００と係合のため動き続けるように、アダプタ係合部材２１２ａの丸くされた、または面取りされた形状は、径方向内方にラッチ型ジョー２１２の第１端部を押し付け得、それによってラッチ型２１２がピボット２１２ｃの周りを回転し、かつ径方向外向きにラッチ型部材２１２ｂを押し付ける。
【００３１】
アダプタ係合部材２１２ａは、圧縮リング２１４を受容するための孔２１２ａａを提供され得る。圧縮リング２１４は、穴２１２ａａを通され得、径方向外向きの力をアダプタ係合部材２１２ａに提供し、アダプタ１００がドッキング組立体係合部材１０６を離れるとき、アダプタ係合部材２１２ａは径方向外方に押し付けられ、およびラッチ型部材２１２ｂは径方向内方に押し付けられる。圧縮リング２１４によって提供された径方向外向きの力は、ドッキング組立体係合部材１０６がアダプタ係合部材２１２ａと係合するように克服され得る。
【００３２】
タレット２０８は、プレスフィット、ねじ付継手、接着剤等の１以上を使用してシェル２０２内に保持され得る。付加的に、第１凸部２０８ｂは、シェルの対応する特徴（図３に示されるようなシェル２０２のリブ、または図９に示されるようなシェル４０２の縁）と相互作用し得る、フランジを含み得る。シェルの対応する特徴は、シェル内側に水栓本体の方向に動くことからタレット２０８を防止し得る。
【００３３】
図４および図５は、ドッキング組立体２００とドッキングするアダプタ１００の断面図を示す。図４において、ドッキング組立体係合部材１０６が、アダプタ係合部材２１２ａの丸くされた縁と相互作用することが示されている。特に、ドッキング組立体係合部材１０６が、アダプタ係合部材２１２ａに下方に押し付けられることが示され、それによってラッチ型ジョー２１２がピボット２１２ｃの周りを旋回する。この旋回動作はラッチ型部材２１２ｂが径方向外方に動き、かつ把持具リング２０４ｃから離れることができる。
【００３４】
かつての把持具リング２０４ｃはラッチ型部材２１２ｂによって、もはや制限されず、圧縮スプリング２０６は、把持具リング２０４ｃの壁に対して拡張し得、それによって把持具２０４を押し付け、シェルの第２端部の方のシェル２０２内に長手方向に動く。把持具２０４は、シェル２０２、面取りされた内壁２０８ａに沿って滑るフランジ付指２０４ａに対して回転する。面取りされた内壁２０８ａはフランジ付指２０４ａを径方向内向きに押し付け、アダプタ１００のラッチ型リブ１０８を把持する。把持具リング２０４ｃをもはや保持せず、把持具２０４およびラッチ型部材２１２ｂにしっかりと保持されたアダプタ１００を有すると、圧縮スプリング２０６の拡張は、アダプタ１００が図５に示す完全なドッキング位置に移動することを生じる。
【００３５】
完全なドッキング位置において、アダプタ係合部材２１２ａは、ドッキング組立体係合部材１０６の中空内に存在する。圧縮スプリング２０６は、以下の１以上が生じるまで拡張を続け得、ドッキング位置を規定することであり、把持具リング２０４ｃがシェル２０２に対して把持具２０４のさらなる移動を防止するためのストップとして作用するシェル２０２の第２端部に到達すること、圧縮スプリング２０６がその平衡位置に到達すること、またはドッキング組立体係合部材１０６がタレット２０８の第１凸部２０８ｂに到達することである。
【００３６】
図６および図７は、ドッキング組立体２００から離れるアダプタ１００の断面図を示す。図６に示すように、アダプタ１００は、ドッキング機構２００から引き離され、ドッキング組立体係合部材１０６は、アダプタ係合部材２１２ａ上の径方向内方の力を減少させ、それによって圧縮リング２１４が径方向外向きにアダプタ係合部材２１２ａを押し込むことができる。アダプタ係合部材が移動を開始すると、ラッチ型ジョー２１２は、径方向内向きにラッチ型部材２１２ｂを押し付け得る、ピボット２１２ｃの周りを旋回し得る。
【００３７】
アダプタ１００がドッキング組立体から引き離され続けると、ラッチ型部材２１２ｂの面取りされた縁が把持具リング２０４ｃの面取りされた縁に対して滑り得る。かつての把持具リング２０４ｃはラッチ型部材２１ｂを過ぎ、ラッチ型部材２１２ｂは把持具リング上に掛け得、それおよびラッチ型部材２１２ｂおよびタレット２０８の間の圧縮スプリング２０６を捕える。掛けられた位置にあるとき、ドッキング組立体２００は図４および図５に示されるドッキング手段のための準備がもう一度整い得る。
【００３８】
さらに、アダプタ１００がドッキング組立体２００から引き離されると、フランジ付指２０４ａは、面取りされた内壁２０８ａに対して滑り得る。面取りされた内壁２０８ａは、フランジ付指２０４ａがそれらの無負荷状態に戻ることができ、フランジは、ラッチ型リブ１０８を把持することを続けるにはあまりにも広く、分離され得る。かつてのフランジ付指２０４ａは、ラッチ型リブ１０８から離れ、アダプタ１００は図７に示すようにドッキング組立体２００から自由に引き離され得る。ホース１６は、それから、水栓の下に配置されたアイテムの柔軟な洗浄を容易にするように延ばされ得る。
【００３９】
図８は本発明の実施形態に従う、自動退避スプレイヘッド１２を有する水栓１０およびドッキング組立体２００とドッキングされたアダプタ１００の部分断面図を示す。
【００４０】
図９は本発明の実施形態に従う、アダプタ３００およびドッキング組立体４００の断面図を示す。アダプタ３００およびドッキング組立体４００は、いくつかの大きな違いを有し、図２−８のアダプタ１００およびドッキング組立体２００と類似し得る。関心事の簡潔において、違いだけが、以下で議論されることになる。アダプタ１００およびドッキング組立体２００の参照番号１ｘｘおよび２ｘｘは、アダプタ３００およびドッキング組立体４００のための参照番号３ｘｘおよび４ｘｘに置き換えられている。
【００４１】
ドッキング組立体４００は、タレット４０８の第１凸部４０８ｂまでだけ延びるシェル４０２を含んでいる。例えば、シェル２０２と比較して、短いシェルは、ラッチ型ジョー４１２のアダプタ係合部材４１２ａが、シェルによって強制されるなら可能であるだろうより広く開くことを可能にし得る。より広く開いているアダプタ係合部材４１２ａを有すると、ラッチ型部材４１２ｂは、把持具リング４０４ｃの上により強く掛け得る。
【００４２】
さらに、ドッキング組立体４００のピボット４１２ｃは、ラッチ型ジョー４１２の両側上で外側に突き出ることができ、ジョーの旋回点を形成する。この方法において、例えば、キャプティブリング２１０のような別体のキャプティブリングは、ラッチ型ジョー４１２が旋回することを要求されないかもしれない。
【００４３】
さらに、アダプタ３００のラッチ型Ｏリング３１２は、Ｏリングをギャップによってラッチ型リブ３０８から分離する凹部に位置され得る。Ｏリング３１２とラッチ型リブ３０８の間のギャップは、把持具４０４のフランジ付指４０４ａが、直接、かつ、より大きい表面積でラッチ型リブ３０８と接することを可能とし得、したがって、アダプタ３００上の把持具４０４の把持を潜在的に向上する。
【００４４】
前述から明白とされる、様相、特徴、および利点は効率よく達成され、および、ある種の変更は、本発明の趣旨および範囲から逸脱することなく、開示された発明の実施形態において行われ得るので、本明細書に含まれる全ての事項は、例証として、かつ限定する意味でないものとして解釈されることは、理解されるべきである。
【００４５】
次の請求項が、本明細書で記載された本発明の包括的かつ具体的な特徴の全て、および言語の問題として、その間に落ちると言われているかもしれない、発明の範囲の述べていることの全てを包含するように意図されることも理解される。
【図１】
2020112023.tif 000003
【図２】
2020112023.tif 000004
【図３】
2020112023.tif 000005
【図４】
2020112023.tif 000006
【図５】
2020112023.tif 000007
【図６】
2020112023.tif 000008
【図７】
2020112023.tif 000009
【図８】
2020112023.tif 000010
【図９】
2020112023.tif 000011
【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
自動退避水栓スプレイヘッドであって、
内部導管と複数のノズルを含むスプレイヘッドと、
前記スプレイヘッドに結合されたアダプタと、を含み、
前記アダプタが
前記スプレイヘッドの前記内部導管に流体結合される内部導管を規定する本体と、
前記本体の少なくとも一部から延び、かつ前記本体の少なくとも一部の周りに同心状に配置されたドッキング組立体係合部材と、
前記本体から径方向に離れるように延びるラッチ型リブと、
を含むことを特徴とする自動退避水栓スプレイヘッド。
【請求項２】
前記アダプタが、ねじ付結合により前記スプレイヘッドに解放可能に結合されていることを特徴とする請求項１に記載の自動退避水栓スプレイヘッド。
【請求項３】
前記本体が水栓ホースに流体結合可能なホース継手を含むことを特徴とする請求項１に記載の自動退避水栓スプレイヘッド。
【請求項４】
前記ラッチ型リブに隣接する外周の凹部に配置されたラッチ型Ｏリングをさらに含むことを特徴とする請求項１に記載の自動退避水栓スプレイヘッド。
【外国語明細書】
2020112023000001.pdf